【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
ダウンリンク割当てチャネル上でリソース割当てを受信するステップであって、前記リソース割当てが、第1の伝送時間間隔(TTI)の間のダウンリンクデータチャネル上で第1のデータを受信するための時間周波数リソースの認可を含む、ステップと、
前記第1のTTIの間の前記ダウンリンクデータチャネル上で前記第1のデータを受信するステップと、
前記第1のTTIよりも持続時間が短い第2のTTIの間のダウンリンク制御チャネル上で制御情報を受信するステップであって、前記制御情報が、前記第1のTTIの間の前記ダウンリンクデータチャネル上で受信された前記第1のデータ用の時間周波数リソースの前記認可を修正するように構成される、ステップと
を含み、
前記第2のTTIが、前記第1のTTIの一部分と重複する、ワイヤレス通信の方法。
【請求項２】
前記受信された制御情報によって示されているように前記第1のデータの一部分を無視しつつ、前記第1のデータを処理するステップ
をさらに含む、請求項1に記載の方法。
【請求項３】
ダウンリンク割当てチャネル上で第1のリソース割当てを受信するステップであって、前記第1のリソース割当てが、第1の伝送時間間隔(TTI)の間のダウンリンクデータチャネル上の第1のデータに対応する時間周波数リソースの認可を含む、ステップと、
前記第1のTTIよりも持続時間が短い第2のTTIの間のダウンリンク制御チャネル上で制御情報を受信するステップであって、前記制御情報が、前記第2のTTIの間の前記ダウンリンクデータチャネル上の第2のデータに対応する時間周波数リソースの認可を含む、ステップと、
前記第2のTTIの間の前記ダウンリンクデータチャネル上で第2のデータを受信するステップと
を含み、
前記第2のTTIが、前記第1のTTIの一部分と重複する、ユーザ機器(UE)において動作可能なワイヤレス通信の方法。
【請求項４】
前記第1のリソース割当てが、前記UEを含まない1つまたは複数の下位エンティティのセットに時間周波数リソースを認可するように構成される、請求項3に記載の方法。
【請求項５】
ダウンリンク割当てチャネル上でリソース割当てを受信するステップであって、前記リソース割当てが、第1の伝送時間間隔(TTI)の間のアップリンクデータチャネル上でユーザデータを送信するための時間周波数リソースの認可を含む、ステップと、
前記第1のTTIの間の前記アップリンクデータチャネル上で前記ユーザデータを送信するステップと、
前記第1のTTIよりも持続時間が短い第2のTTIの間のダウンリンク制御チャネル上でアップリンク認可修正を受信するステップであって、前記アップリンク認可修正が、時間周波数リソースの前記認可が修正されたことを示し、その間に前記ユーザデータの前記送信を修正する時間周波数リソースを識別する情報を含む、ステップと、
前記アップリンク認可修正に従って前記ユーザデータの前記送信を修正するステップと
を含み、
前記第2のTTIが、前記第1のTTIの一部分と重複する、ワイヤレス通信の方法。
【請求項６】
前記ユーザデータの前記送信を前記修正するステップが、前記ユーザデータをパンクチャリングするステップを含む、請求項5に記載の方法。
【請求項７】
前記ユーザデータの前記送信を前記修正するステップが、前記ユーザデータの前記修正された送信によるデータ損失の責任を負うために、レートマッチングアルゴリズムを修正するステップを含む、請求項5に記載の方法。
【請求項８】
ダウンリンク割当てチャネル上で第1のリソース割当てを受信するステップであって、前記第1のリソース割当てが、第1の伝送時間間隔(TTI)の間のアップリンクデータチャネル上の第1のデータに対応する時間周波数リソースの認可を含む、ステップと、
アップリンクフィードバックチャネル上でスケジューリング要求を送信するステップであって、前記スケジューリング要求が、第2のデータ用の時間周波数リソースの認可を要求するように構成される、ステップと、
前記第1のTTIよりも持続時間が短い第2のTTIの間のダウンリンク制御チャネル上で制御情報を受信するステップであって、前記制御情報が、前記第1のTTIよりも持続時間が短い第3のTTIの間の前記アップリンクデータチャネル上の第2のデータに対応する時間周波数リソースの認可を含む、ステップと、
前記認可された時間周波数リソースに従って、前記第3のTTIの間の前記アップリンクデータチャネル上で前記第2のデータを送信するステップと
を含む、ユーザ機器(UE)において動作可能なワイヤレス通信の方法。
【請求項９】
前記スケジューリング要求が、前記第2のTTIの間の前記アップリンクフィードバックチャネル上で送信される、請求項8に記載の方法。
【請求項１０】
前記第1のリソース割当てが、前記UEを含まない1つまたは複数の下位エンティティのセットに時間周波数リソースを認可するように構成される、請求項8に記載の方法。
【請求項１１】
ダウンリンク割当てチャネル上でリソース割当てを受信するための手段であって、前記リソース割当てが、第1の伝送時間間隔(TTI)の間のダウンリンクデータチャネル上で第1のデータを受信するための時間周波数リソースの認可を含む、手段と、
前記第1のTTIの間の前記ダウンリンクデータチャネル上で前記第1のデータを受信するための手段と、
前記第1のTTIよりも持続時間が短い第2のTTIの間のダウンリンク制御チャネル上で制御情報を受信するための手段であって、前記制御情報が、前記第1のTTIの間の前記ダウンリンクデータチャネル上で受信された前記第1のデータ用の時間周波数リソースの前記認可を修正するように構成される、手段と
を備え、
前記第2のTTIが、前記第1のTTIの一部分と重複する、ワイヤレス通信用に構成されたユーザ機器(UE)。
【請求項１２】
ダウンリンク割当てチャネル上で第1のリソース割当てを受信するための手段であって、前記第1のリソース割当てが、第1の伝送時間間隔(TTI)の間のダウンリンクデータチャネル上の第1のデータに対応する時間周波数リソースの認可を含む、手段と、
前記第1のTTIよりも持続時間が短い第2のTTIの間のダウンリンク制御チャネル上で制御情報を受信するための手段であって、前記制御情報が、前記第2のTTIの間の前記ダウンリンクデータチャネル上の第2のデータに対応する時間周波数リソースの認可を含む、手段と、
前記第2のTTIの間の前記ダウンリンクデータチャネル上で第2のデータを受信するための手段と
を備え、
前記第2のTTIが、前記第1のTTIの一部分と重複する、ワイヤレス通信用に構成されたユーザ機器(UE)。
【請求項１３】
ダウンリンク割当てチャネル上でリソース割当てを受信するための手段であって、前記リソース割当てが、第1の伝送時間間隔(TTI)の間のアップリンクデータチャネル上でユーザデータを送信するための時間周波数リソースの認可を含む、手段と、
前記第1のTTIの間の前記アップリンクデータチャネル上で前記ユーザデータを送信するための手段と、
前記第1のTTIよりも持続時間が短い第2のTTIの間のダウンリンク制御チャネル上でアップリンク認可修正を受信するための手段であって、前記アップリンク認可修正が、時間周波数リソースの前記認可が修正されたことを示し、その間に前記ユーザデータの前記送信を修正する時間周波数リソースを識別する情報を含む、手段と、
前記アップリンク認可修正に従って前記ユーザデータの前記送信を修正するための手段と
を備え、
前記第2のTTIが、前記第1のTTIの一部分と重複する、ワイヤレス通信用に構成されたユーザ機器(UE)。
【請求項１４】
ダウンリンク割当てチャネル上で第1のリソース割当てを受信するための手段であって、前記第1のリソース割当てが、第1の伝送時間間隔(TTI)の間のアップリンクデータチャネル上の第1のデータに対応する時間周波数リソースの認可を含む、手段と、
アップリンクフィードバックチャネル上でスケジューリング要求を送信するための手段であって、前記スケジューリング要求が、第2のデータ用の時間周波数リソースの認可を要求するように構成される、手段と、
前記第1のTTIよりも持続時間が短い第2のTTIの間のダウンリンク制御チャネル上で制御情報を受信するための手段であって、前記制御情報が、前記第1のTTIよりも持続時間が短い第3のTTIの間の前記アップリンクデータチャネル上の第2のデータに対応する時間周波数リソースの認可を含む、手段と、
前記認可された時間周波数リソースに従って、前記第3のTTIの間の前記アップリンクデータチャネル上で前記第2のデータを送信するための手段と
を備える、ワイヤレス通信用に構成されたユーザ機器(UE)。
【請求項１５】
請求項1から10のいずれか一項に記載の方法をコンピュータに行わせる、コンピュータ実行可能コードを記憶するコンピュータ可読記憶媒体。